(57)【要約】【課題】光ディスクの起動処理が短時間で終了することを可能にする。【解決手段】光ピックアップ（２）、信号増幅手段（５）、フォーカスサーボ手段（３）及びトラッキングサーボ手段（４）を用いてサーボエラー信号および再生信号を所定の品質に調整した状態でディスク識別情報を再生し、ディスク識別情報がディスク情報記憶手段（９）に記憶されている場合、ディスク情報記憶手段（９）に記憶されているディスク属性情報をそれ以降の当該光ディスクに対する処理に用いる。【選択図】図１
2010198656.tif 000002
【特許請求の範囲】
【請求項１】
光ディスクにレーザ光を照射し、前記光ディスクの記録層からの反射光を受光する光ピックアップと、
前記反射光による前記光ピックアップからの信号をサーボエラー信号および再生信号に変換し、増幅する信号増幅手段と、
前記サーボエラー信号により前記レーザ光が前記光ディスクの記録層と合焦するまで前記光ピックアップを駆動させて合焦した状態で維持させるフォーカスサーボ手段と、
前記光ディスクの記録トラックに前記フォーカスサーボ手段で合焦されたレーザ光を追随させるトラッキングサーボ手段と、
前記信号増幅手段で得られた再生信号をディジタル信号処理するディジタル信号処理手段と、
前記ディジタル信号処理手段の出力に基づいてディスク識別情報とディスク属性情報と欠陥位置情報を検出する制御手段と、
前記光ピックアップと前記信号増幅手段と前記フォーカスサーボ手段と前記トラッキングサーボ手段を用いて前記サーボエラー信号および前記再生信号を所定の品質に調整し、前記光ピックアップと前記信号増幅手段と前記フォーカスサーボ手段と前記トラッキングサーボ手段で得られた調整値とディスク属性情報をディスク識別情報とともに記憶するディスク情報記憶手段と
を有することを特徴とする光ディスク装置。
【請求項２】
前記制御手段は、
前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、
再生された前記ディスク識別情報が前記ディスク情報記憶手段に記憶されている場合、前記ディスク情報記憶手段に記憶されているディスク属性情報をそれ以降の当該光ディスクに対する処理に用いる
ことを特徴とする請求項１に記載の光ディスク装置。
【請求項３】
光ディスクが複数の記録層を有し、該複数の記録層のうちの第一の記録層にディスク識別情報を記録しており、
前記制御手段は、
前記光ディスクの前記第一の記録層で前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、
前記ディスク識別情報が前記ディスク情報記憶手段に記憶されている場合、
第一の記録層以外の記録層に対する前記光ピックアップと前記信号増幅手段と前記フォーカスサーボ手段と前記トラッキングサーボ手段の調整値として前記ディスク情報記憶手段に記憶されている調整値をそれ以降の当該光ディスクに対する処理に用いる
ことを特徴とする請求項１に記載の光ディスク装置。
【請求項４】
再生された前記ディスク識別情報が前記ディスク情報記憶手段に記憶されている場合、
前記ディスク情報記憶手段に記憶されている欠陥位置情報をそれ以降の当該光ディスクに対する処理に用いることを特徴とする請求項２に記載の光ディスク装置。
【請求項５】
前記ディスク情報記憶手段に欠陥位置情報が記憶されていることを特徴とする請求項１乃至４のいずれかに記載の光ディスク装置。
【請求項６】
光ディスクが複数の記録層を有し、該複数の記録層のうちの第一の記録層にディスク識別情報を記録しており、
前記制御手段が、前記第一の記録層で、
前記光ピックアップと前記信号増幅手段と前記フォーカスサーボ手段と前記トラッキングサーボ手段を用いて前記サーボエラー信号および前記再生信号を所定の品質に調整し、
前記光ピックアップと前記信号増幅手段と前記フォーカスサーボ手段と前記トラッキングサーボ手段で得られた調整値と、前記ディスク情報記憶手段に記憶されている同じディスク識別情報を有する調整値とを比較する調整値比較手段を有することを特徴とする請求項１に記載の光ディスク装置。
【請求項７】
前記制御手段は、比較の結果得られる差分が規定値以下であれば、ディスク情報記憶手段に記憶されている前記第一の記録層以外の記録層に対する調整値をそれ以降の当該光ディスクに対する処理に用い、前記差分が規定値よりも大きければ、前記第一の記録層以外の記録層の記録層に対する調整を実施して、該調整により得られた前記第一の記録層以外の記録層の記録層に対する調整値をそれ以降の当該光ディスクに対する処理に用いることを特徴とする請求項６に記載の光ディスク装置。
【請求項８】
前記ディスク情報記憶手段に欠陥位置情報が記憶されていることを特徴とする請求項６又は７に記載の光ディスク装置。
【請求項９】
請求項１に記載の光ディスク装置の制御方法において、
前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、
再生された前記ディスク識別情報が前記ディスク情報記憶手段に記憶されている場合、前記ディスク情報記憶手段に記憶されているディスク属性情報をそれ以降の当該光ディスクに対する処理に用いる
ことを特徴とする光ディスク装置の制御方法。
【請求項１０】
光ディスクが複数の記録層を有し、該複数の記録層のうちの第一の記録層にディスク識別情報を記録しており、
前記光ディスクの前記第一の記録層で前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、
再生された前記ディスク識別情報が前記ディスク情報記憶手段に記憶されている場合、
第一の記録層以外の記録層に対する前記光ピックアップと前記信号増幅手段と前記フォーカスサーボ手段と前記トラッキングサーボ手段の調整値として前記ディスク情報記憶手段に記憶されている調整値をそれ以降の当該光ディスクに対する処理に用いる
ことを特徴とする請求項９に記載の光ディスク装置の制御方法。
【請求項１１】
再生された前記ディスク識別情報が前記ディスク情報記憶手段に記憶されている場合、
前記ディスク情報記憶手段に記憶されている欠陥位置情報をそれ以降の当該光ディスクに対する処理に用いることを特徴とする請求項９に記載の光ディスク装置の制御方法。
【請求項１２】
請求項６に記載の光ディスク装置を用いる制御方法において、
前記光ディスクの前記第一の記録層で前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、
前記比較手段による比較の結果得られる差分が規定値以下であれば、ディスク情報記憶手段に記憶されている前記第一の記録層以外の記録層に対する調整値をそれ以降の当該光ディスクに対する処理に用い、前記差分が規定値よりも大きければ、前記第一の記録層以外の記録層に対する調整を実施して、該調整により得られた前記第一の記録層以外の記録層に対する調整値をそれ以降の当該光ディスクに対する処理に用いる
ことを特徴とする光ディスク装置の制御方法。
【請求項１３】
さらに、再生された前記ディスク識別情報が前記ディスク情報記憶手段に記憶されている場合、ディスク属性情報として前記ディスク情報記憶手段に記憶されているディスク属性情報をそれ以降の当該光ディスクに対する処理に用いることを特徴とする
請求項１２に記載の光ディスクの制御方法。
【請求項１４】
請求項８に記載の光ディスク装置を用いる制御方法において、
前記光ディスクの前記第一の記録層で前記光ピックアップと前記信号増幅手段と前記フォーカスサーボ手段と前記トラッキングサーボ手段を用いて前記サーボエラー信号および前記再生信号を所定の品質に調整した状態でディスク識別情報を再生し、再生された前記ディスク識別情報が前記ディスク情報記憶手段に記憶されている場合、前記ディスク情報記憶手段に記憶されている欠陥位置情報をそれ以降の当該光ディスクに対する処理に用いる
ことを特徴とする光ディスク装置の制御方法。
【発明の詳細な説明】
【技術分野】
【０００１】
本発明は、光ディスクを再生する光ディスク装置において、ディスク挿入時の起動処理に関する。
【背景技術】
【０００２】
光ディスク装置では、光ピックアップから出射したレーザ光が光ディスクの情報面に当たり、その反射光を光電変換させて信号増幅し、フォーカスサーボやトラッキングサーボのエラー信号を生成したり、再生信号の生成を行っている。光ディスク装置に光ディスクが挿入されると、ディスクに応じて光ピックアップの球面収差補正機構の調整やサーボ系回路、再生信号処理回路のオフセット及びゲインの調整が行われて、ディスクの種別や対応規格情報などのディスク属性情報の読み取りを行い、起動処理が完了する。起動処理が完了した時点で光ディスク装置は上位コントローラからの再生コマンドに応答可能となる。
【０００３】
現状において光ディスクは種々開発され、映画コンテンツ再生やＴＶ放送録画再生およびＰＣ用途にＤＶＤ（ディジタル・バーサタイル・ディスク）やＢＤ（ブルーレイ・ディスク）などがある。光ディスク装置ではこれら種々光ディスクに対応するため、高速に起動処理が完了することが要求される。
【０００４】
この要求に対して、光ディスクの調整パラメータをディスクの配置位置情報とともに記憶するオートチェンジャーがある（例えば、特許文献１参照）。また、ディスクの一方の記録層のみ調整を行い、他方の記録層については一方の記録層との差分を予め記憶しておき、一方の記録層の調整値に差分を加えることで求めるものがある（例えば、特許文献２参照）。
【先行技術文献】
【特許文献】
【０００５】
【特許文献１】特開平９−８２０７２号公報（第１１頁、第４図）
【特許文献２】特開２００２−１８３９８５号公報（第６頁、第１図）
【発明の概要】
【発明が解決しようとする課題】
【０００６】
従来のディスク装置では、起動処理が行なわれたことのあるディスクであっても、ディスクの入れ替えなどにより再度起動処理を行なう場合に、調整を再度実施する必要があるという問題があった。
【課題を解決するための手段】
【０００７】
本発明の光ディスク装置は、
光ディスクにレーザ光を照射し、前記光ディスクの記録層からの反射光を受光する光ピックアップと、
前記反射光による前記光ピックアップからの信号をサーボエラー信号および再生信号に変換し、増幅する信号増幅手段と、
前記サーボエラー信号により前記レーザ光が前記光ディスクの記録層と合焦するまで前記光ピックアップを駆動させて合焦した状態で維持させるフォーカスサーボ手段と、
前記光ディスクの記録トラックに前記フォーカスサーボ手段で合焦されたレーザ光を追随させるトラッキングサーボ手段と、
前記信号増幅手段で得られた再生信号をディジタル信号処理するディジタル信号処理手段と、
前記ディジタル信号処理手段の出力に基づいてディスク識別情報とディスク属性情報と欠陥位置情報を検出する制御手段と、
前記光ピックアップと前記信号増幅手段と前記フォーカスサーボ手段と前記トラッキングサーボ手段を用いて前記サーボエラー信号および前記再生信号を所定の品質に調整し、前記光ピックアップと前記信号増幅手段と前記フォーカスサーボ手段と前記トラッキングサーボ手段で得られた調整値とディスク属性情報をディスク識別情報とともに記憶するディスク情報記憶手段と
を有することを特徴とする。
【発明の効果】
【０００８】
本発明によれば、光ディスクの起動処理を短時間で行うことができる。
【図面の簡単な説明】
【０００９】
【図１】この発明の実施の形態１の光ディスク装置の構成の概略を示すブロック図である。
【図２】この発明で用いられる光ディスクの断面を概略的に示す図である。
【図３】この発明の実施の形態１のディスク情報メモリの記憶内容を示すマップ図である。
【図４】この発明の実施の形態１の光ディスク装置の起動の際の処理手順を示すフロー図である。
【図５】この発明の実施の形態１の光ディスク装置の起動の際の処理手順を示すフロー図である。
【図６】（ａ）及び（ｂ）は、交替処理を示す図である。
【図７】この発明の実施の形態２の光ディスク装置の構成の概略を示すブロック図である。
【図８】この発明の実施の形態２のディスク情報メモリの記憶内容を示すマップ図である。
【図９】この発明の実施の形態２の光ディスク装置の起動の際の処理手順を示すフロー図である。
【図１０】この発明の実施の形態２の光ディスク装置の起動の際の処理手順を示すフロー図である。
【発明を実施するための形態】
【００１０】
実施の形態１．
以下、この発明の実施の形態を、図面を参照して説明する。
図１は本発明の実施の形態１の光ディスク装置の構成を示すブロック図である。図示の光ディスク装置は、図示されないスピンドルモータにより光ディスク１を回転させて、光ピックアップ２により再生を行う。光ピックアップ２は球面収差補正機構を有するものであり、光ピックアップ２内の半導体レーザ素子より出射されたレーザ光は光ディスク１の記録媒体面で反射し、光ピックアップ２内の光電変換素子で光電変換されて電気信号となる。
【００１１】
光電変換された電気信号は信号増幅回路５においてサーボ系のエラー信号や再生信号に変換され、増幅される。
フォーカスサーボ回路３は光ピックアップ２より出射されたレーザ光のスポットを光ディスク１の記録媒体面に垂直方向に駆動させてフォーカスサーチ動作を実施し、レーザ光のスポットを光ディスク１の記録媒体面に合焦した状態に維持する。
トラッキングサーボ回路４はレーザ−光のスポットを光ディスクの所望のトラックに追随させるため光ディスク１の半径方向に位置決めする制御を行う。
【００１２】
再生時には、信号増幅回路５からの再生信号は再生信号処理回路６において二値化され、光ディスク１の変復調方式に従って復調され、誤り訂正処理されて、再生データとしてバッファメモリ７に一時的に保存される。バッファメモリ７に一時的に保存された再生データはインターフェース制御回路８を介して図示しない上位コントローラへ転送される。
【００１３】
制御手段としてのＣＰＵ１０は、再生信号処理回路６の出力に基づいて、ディスクから読み出された、ディスク識別情報とディスク属性情報と欠陥位置情報を検出し、ディスク情報メモリ９に記憶させる。
【００１４】
光ディスク１には、ディスク種別等の記述のあるディスク属性情報以外にディスクを特定するディスク識別情報が記録されている。ディスク識別情報としては、例えば、映画コンテンツの再生専用ディスクでは、ファイルシステム情報の主ボリューム記述子にあるボリュームセット識別子を用いることができる。また、記録型ディスクでは、ボリュームセット識別子以外にディスク製造者識別情報、ボリューム記録の時間情報、ボリュームの総容量、ボリュームの記録を行った光ディスク装置識別情報を組み合わせたものを、ディスク識別情報として用いることができる。
【００１５】
図２は光ディスク１の断面の模式図である。図示の光ディスク１は、情報トラックがスパイラル状に構成されている第一の記録層１ａおよび第二の記録層１ｂを有する。前述のディスク識別情報及びディスク属性情報は、例えば第一の記録層１ａの内周側部分１ｃおよび外周側部分１ｄに記録されている。
【００１６】
光ディスク装置は、光ディスク１が挿入され、第一の記録層１ａに対して、光ピックアップ２、フォーカスサーボ回路３、トラッキングサーボ回路４、及び再生信号処理回路５の調整を行い、再生可能な状態になると、第一の記録層１ａに存在するディスク識別情報を再生する。
ディスク情報メモリ９には、例えば図３に示すように、ディスク識別情報とともに（即ち互いに関連付けて）第二の記録層１ｂに対する光ピックアップ２、フォーカスサーボ回路３、トラッキングサーボ回路４、及び再生信号処理回路５の調整値が記憶されている。
【００１７】
図４は、本実施の形態１における光ディスク挿入時の起動の際にＣＰＵ１０による制御の下で行なわれる処理の手順を示す。
光ディスクが挿入されると、第一の記録層１ａに対して、光ピックアップ２、フォーカスサーボ回路３、トラッキングサーボ回路４、及び再生信号処理回路５の調整を行い（Ｓ１）、ディスク識別情報を再生する（Ｓ２）。ＣＰＵ１０は、ディスク情報メモリ９内に挿入された光ディスクと同一のディスク識別情報が存在するか（挿入されたディスクが処理履歴のあるディスクであるか）の確認を行い（Ｓ３）、存在する場合（Ｓ３でＹＥＳ）には、ディスク情報メモリ９よりディスク属性情報及び第二の記録層に対する調整値を取得する（Ｓ４ａ）。
【００１８】
その後、第二の記録層に対する処理、例えばユーザデータの記録、再生を行う場合は、光ピックアップ２、フォーカスサーボ回路３、トラッキングサーボ回路４、及び再生信号処理回路５にディスク情報メモリ９から取得した第二の記録層に対する調整値を用いる。
【００１９】
ステップＳ３で、ディスク情報メモリ９内に挿入された光ディスクと同一のディスク識別情報が存在しない場合（Ｓ３でＮＯ）には、光ディスク１からディスク属性情報を再生し、ディスク情報メモリ９内にディスク識別情報及びディスク属性情報の記憶（書込み）を行い（Ｓ５ａ）、第二の記録層１ｂに対して、光ピックアップ２、フォーカスサーボ回路３、トラッキングサーボ回路４、及び再生信号処理回路５の調整を行って（Ｓ６）、第二の記録層１ｂの調整値をディスク情報メモリ９に記憶する（Ｓ７）。
【００２０】
なお、第二の記録層１ｂの調整を行ってから、ディスク識別情報とディスク属性情報と第二の記録層１ｂの調整値のディスク情報メモリ９への書込みを行っても良い。即ちステップＳ５ａの処理を、ステップＳ６の後、又はステップＳ７の後に行なっても良い。
ステップＳ７の後に、第二の記録層に対する記録、再生を行う場合は、ステップＳ６で得た調整値を用いて、光ピックアップ２、フォーカスサーボ回路３、トラッキングサーボ回路４、及び再生信号処理回路５を制御する。
【００２１】
図５は、本実施の形態１において記録型光ディスクが挿入された場合の起動の際の処理の手順を示す。図３に示す様にディスク情報メモリ９内にディスク識別情報とともにディスク属性情報と第二の記録層の調整値に加えて交替処理のための欠陥位置情報を記憶する。
【００２２】
記録型ディスクでは、ディスク上の欠陥位置情報を登録することにより、欠陥位置を避けて記録および再生を行うことができる。また、追記型ディスクでは追記毎に読み出しのためのファイルシステム情報が変更されるため、変更箇所を欠陥位置情報として登録することにより、追記を可能としている。
【００２３】
以下、アドレスの交替についてさらに詳しく説明する。
図６（ａ）の様にディスク面上の記録最小単位で区切られた物理ブロックにアドレスＰＢＡが割り振られている。また、上位コントローラからは論理ブロックアドレス（ＬＢＡ）により記録、再生の指示が行われる。例えば、上位コントローラから論理ブロックＬＢＡ０からＬＢＡ２までに対する記録指示があり、物理ブロックＰＢＡ２が欠陥位置として登録されている場合、論理ブロックＬＢＡ０、ＬＢＡ１のための情報は各々物理ブロックＰＢＡ０、ＰＢＡ１（物理ブロックアドレスＰＢＡ０、ＰＢＡ１で示される位置）に記録が行われるが、論理ＬＢＡ２のための情報は欠陥位置登録されている物理ブロックＰＢＡ２ではなく、代替物理ブロックである物理ブロックＰＢＡ３に記録が行われる。
【００２４】
一方、光ディスクが追記ディスクである場合に、論理アドレスＬＢＡ２への上書きが実行された場合、元々図６（ａ）の物理ブロックＰＢＡ３に記録されていた情報が、図６（ｂ）の物理ブロックＰＢＡ４に記録される。したがって、物理トラックＰＢＡ３を欠陥位置として扱い、物理ブロックＰＢＡ３を物理ブロックＰＢＡ４へアドレスを交替させたとして登録すれば、追記ディスクへの論理アドレスの上書きが可能となる。図３の欠陥位置情報は、そのようなアドレスの交替における、元々のアドレスと交替後のアドレスの関係を示すものである。
【００２５】
このように記録型ディスクの場合、欠陥位置情報は記録が行われる毎に変化するが、例えば追記型ディスクにおいてファイナライズ処理が実施されると、ディスク追記が不可となり、欠陥位置情報は確定する。この欠陥位置情報を処理履歴情報としてそれ以降の当該光ディスクに対する処理、例えばユーザデータの再生に用いることにより、起動時間の短縮を図る。
【００２６】
図５に示す処理は図４に示す処理と概して同じであるが、図４のステップＳ４ａ、Ｓ５ａの代わりに、ステップＳ４ｂ、Ｓ５ｂが行なわれる。
すなわち、図５に示す処理においては、光ディスクが挿入されると、第一の記録層１ａに対して、光ピックアップ２、フォーカスサーボ回路３、トラッキングサーボ回路４、及び再生信号処理回路５の調整を行い（Ｓ１）、ディスク識別情報を再生する（Ｓ２）。ＣＰＵ１０は、ディスク情報メモリ９内に挿入された光ディスクと同一のディスク識別情報が存在するかの確認を行い（Ｓ３）、存在する場合（Ｓ３でＹＥＳ）には、ディスク情報メモリ９よりディスク属性情報及び第二の記録層に対する調整値並びに欠陥位置情報を取得する（Ｓ４ｂ）。
その後、第二の記録層に対する処理、例えばユーザデータの記録、再生を行う場合は光ピックアップ２、フォーカスサーボ回路３、トラッキングサーボ回路４、及び再生信号処理回路５にディスク情報メモリ９の第二の記録層に対する調整値を用いる。
【００２７】
ステップＳ３で、ディスク情報メモリ９内に挿入された光ディスクと同一のディスク識別情報が存在しない場合（Ｓ３でＮＯ）には、光ディスクからディスク属性情報および欠陥位置情報を再生し、ディスク情報メモリ９内にディスク識別情報及びディスク属性情報、並びに欠陥位置情報の記憶を行い（Ｓ５ｂ）、第二の記録層１ｂに対して、光ピックアップ２、フォーカスサーボ回路３、トラッキングサーボ回路４、及び再生信号処理回路５の調整を行って（Ｓ６）、第二の記録層１ｂの調整値をディスク情報メモリ９に記憶する（Ｓ７）。
なお、第二の記録層１ｂの調整を行ってから、ディスク識別情報とディスク属性情報と第二の記録層１ｂの調整値と欠陥位置情報のディスク情報メモリ９への書込みを行っても良い。即ちステップＳ５ｂの処理を、ステップＳ６の後、又はステップＳ７の後に行なっても良い。
【００２８】
図４および図５の一連の動作は、図示されないプログラムメモリ（ＲＯＭ）に格納された制御プログラムに従って動作するＣＰＵ１０により制御される。
【００２９】
実施の形態２．
以下、この発明の実施の形態２を、図面を参照して説明する。
図７は本発明の実施の形態２の光ディスク装置の構成を示すブロック図である。図示の光ディスク装置は、概して図１の光ディスク装置と概して同じであるが、調整値比較回路１１が付加されている点で異なる。
図７の光ディスク装置においても、図１の光ディスク装置と同様に、図示されないスピンドルモータにより光ディスク１を回転させて、光ピックアップ２により再生を行う。すなわち、光ピックアップ２内の半導体レーザ素子より出射されたレーザ光は光ディスク１の記録媒体面で反射し、光ピックアップ２内の光電変換素子で光電変換されて電気信号となる。
【００３０】
光電変換された電気信号は信号増幅回路５においてサーボ系のエラー信号や再生信号に変換され、増幅される。
フォーカスサーボ回路３は光ピックアップ２からの半導体レーザ光のスポットを光ディスク１の記録媒体面に垂直方向に駆動させてフォーカスサーチ動作を実施し、半導体レーザ光のスポットを光ディスク１の記録媒体面に合焦した状態に維持する。
トラッキングサーボ回路４は半導体レーザ光のスポットを光ディスクの所望のトラックに追随させるため光ディスク１の半径方向に位置決めする制御を行う。
【００３１】
再生時には、信号増幅回路５からの再生信号は再生信号処理回路６において二値化され、光ディスク１の変復調方式に従って復調され、誤り訂正処理されて、再生データとしてバッファメモリ７に一時的に保存される。バッファメモリ７に一時的に保存された再生データはインターフェース制御回路８を介して上位コントローラへ転送される。
【００３２】
光ディスク１には、ディスク種別等の記述のあるディスク属性情報以外に、ディスクを特定するディスク識別情報が記録されている。ディスク識別情報としては、例えば、映画コンテンツの再生専用ディスクでは、ファイルシステム情報の主ボリューム記述子にあるボリュームセット識別子を用いることができる。また、記録型ディスクでは、ボリュームセット識別子以外にディスク製造者識別情報、ボリューム記録の時間情報、ボリュームの総容量、ボリュームの記録を行った光ディスク装置識別情報を組み合わせたものを、ディスク識別情報として用いることができる。
【００３３】
図２は光ディスク１の断面の模式図である。図示の光ディスク１は、情報トラックがスパイラル状に構成されている第一の記録層１ａおよび第二の記録層１ｂを有する。前述のディスク識別情報及びディスク属性情報は、例えば第一の記録層の内周側部分１ｃおよび外周側部分１ｄに記録されている。
【００３４】
光ディスク装置は、光ディスク１が挿入されて第一の記録層１ａに対して、光ピックアップ２、フォーカスサーボ回路３、トラッキングサーボ回路４、及び再生信号処理回路５の調整を行い、再生可能な状態になると、第一の記録層１ａに存在するディスク識別情報を再生する。
ディスク情報メモリ９には、例えば図８に示すように、ディスク識別情報とともに第一の記録層１ａおよび第二の記録層１ｂに対する光ピックアップ２、フォーカスサーボ回路３、トラッキングサーボ回路４、及び再生信号処理回路５の調整値が記憶されている。
【００３５】
調整値比較回路１１は、第一の記録層１ａに対して、光ピックアップ２、フォーカスサーボ回路３、トラッキングサーボ回路４、及び再生信号処理回路５の調整（この調整もＣＰＵ１０による制御の下で行なわれる）を行って得られた調整値と、ディスク情報メモリ９内に記憶されている情報のうち、挿入されたディスクの識別情報に対応した、第一の記録層の調整値を比較し、両者間の差分を求める。
そして、求められた差分が所定の値（規定値）ＡＤ以下であれば、ディスク情報メモリ９内に記憶されている情報のうち、第二の記録層のための調整値をデータの記録、再生に用いる。
求められた差分が上記の所定の値（規定値）ＡＤよりも大きければ、第二の記録層についてもそれぞれ調整を行ない、調整により求められた調整値を、それ以降のそれぞれの記録層に対する処理、例えばユーザデータの記録、再生に用いる。
【００３６】
図９は、本実施の形態２における光ディスク挿入時の起動の際にＣＰＵ１０による制御の下で行なわれる処理の手順を示す。図示の処理手順は、図４に示す処理と概して同じであるが、ステップＳ８、Ｓ９が付加されており、ステップＳ７の代わりにステップＳ１０が行われる点で異なる。
光ディスクが挿入されると、第一の記録層１ａに対して、光ピックアップ２、フォーカスサーボ回路３、トラッキングサーボ回路４、及び再生信号処理回路５の調整を行い（Ｓ１）、ディスク識別情報を再生する（Ｓ２）。ＣＰＵ１０は、ディスク情報メモリ９内に挿入された光ディスクと同一のディスク識別情報が存在するかの確認を行い（Ｓ３）、存在する場合（Ｓ３でＹＥＳ）には、第一の記録層１ａに対して行った調整によって得られた調整値とディスク情報メモリ９に記憶されている調整値とを比較し、両者間の差分を求める（Ｓ８）。
【００３７】
そして、ステップＳ８で求めた調整値の差分が規定値ＡＤ以下かどうかの判定を行ない、規定値ＡＤ以下であれば（Ｓ９でＹＥＳ）、ステップＳ４ａに進み、ディスク情報メモリ９よりディスク属性情報と第二の記録層に対する調整値を取得する（Ｓ４ａ）。
【００３８】
その後第二の記録層に対する処理、例えばユーザデータの記録、再生を行う場合は、光ピックアップ２、フォーカスサーボ回路３、トラッキングサーボ回路４、及び再生信号処理回路５にディスク情報メモリ９から取得した第二の記録層に対する調整値を用いる。
ステップＳ９での判定で調整値差分が規定値ＡＤ以下であることを条件としてステップＳ４ａに進むのは、過去に調整値を取得した時点と現時点でディスクの状態に変化がないとの判断に因るものである。
【００３９】
一方、ステップＳ８での調整値の差分が規定値ＡＤを超える場合（Ｓ９でＮＯ）、過去に調整値を取得した時点と現時点でディスクの状態が変化したとして、ステップＳ６に進み、第二の記録層１ｂの調整を実施し、その後第一の記録層１ａの調整値及び第二の記録層１ｂの調整値を記憶する（Ｓ１０）。
【００４０】
また、ステップＳ３で、ディスク情報メモリ９内に挿入された光ディスクと同一のディスク識別情報が存在しない場合（Ｓ３でＮＯ）には、光ディスクからディスク属性情報を再生し、ディスク情報メモリ９内にディスク識別情報及びディスク属性情報の記憶を行い（Ｓ５ａ）、第二の記録層１ｂに対して、光ピックアップ２、フォーカスサーボ回路３、トラッキングサーボ回路４、及び再生信号処理回路５の調整を行う（Ｓ６）。
その後、ステップＳ１で得た第一の記録層１ａの調整値と、ステップＳ６で得た第二の記録層１ｂの調整値をディスク情報メモリ９に記憶する（Ｓ１０）。
なお、ステップＳ５ａにおけるディスク識別情報及びディスク属性情報のディスク情報メモリ９への書込みを、ステップＳ６における第二の記録層１ｂの調整を行った後に、例えば第一の記録層の調整値及び第二の記録層の調整値の記録（Ｓ１０）とともに、或いは第一の記録層の調整値及び第二の記録層の調整値の記録（Ｓ１０）の後で行っても良い。
【００４１】
図１０は、本実施の形態２において記録型光ディスクが挿入された場合の起動の際の処理の手順を示す。図８に示す様にディスク情報メモリ９内にディスク識別情報とともにディスク属性情報と第一の記録層の調整値および第二の記録層の調整値に加えて交替処理のための欠陥位置情報を記憶する。
【００４２】
図１０に示す処理は図９に示す処理と概して同じであるが、図９のステップＳ４ａ、Ｓ５ａの代わりに、ステップＳ４ｂ、Ｓ５ｂが行なわれる。
すなわち、図１０に示す処理においては、光ディスクが挿入されると、第一の記録層１ａに対して、光ピックアップ２、フォーカスサーボ回路３、トラッキングサーボ回路４、及び再生信号処理回路５の調整を行い（Ｓ１）、ディスク識別情報を再生する（Ｓ２）。ＣＰＵ１０は、ディスク情報メモリ９内に挿入された光ディスクと同一のディスク識別情報が存在するかの確認を行い（Ｓ３）、存在する場合（Ｓ３でＹＥＳ）には、第一の記録層１ａに対して調整によって得られた調整値とディスク情報メモリ９に記憶されている調整値との差分を求める（Ｓ８）。
【００４３】
そして、ステップＳ８で求めた調整値の差分が規定値ＡＤ以下かどうかの判定を行ない、規定値ＡＤ以下であれば（Ｓ９でＹＥＳ）、ステップＳ４ｂに進み、ディスク情報メモリ９よりディスク属性情報と欠陥位置情報と第二の記録層に対する調整値を取得する。
【００４４】
その後、第二の記録層に対する処理、例えばユーザデータの記録、再生を行う場合は、光ピックアップ２、フォーカスサーボ回路３、トラッキングサーボ回路４、及び再生信号処理回路５にディスク情報メモリ９から取得した第二の記録層に対する調整値を用いる。
ステップＳ９での判定で調整値差分が規定値ＡＤ以下であることを条件としてステップＳ４ｂに進むのは、過去に調整値を取得した時点と現時点でディスクの状態に変化がないとの判断に因るものである。
【００４５】
一方、ステップＳ８での調整値の差分が規定値ＡＤを超える場合（Ｓ９でＮＯ）、過去に調整値を取得した時点と現時点でディスクの状態が変化したとして、ステップＳ６に進み、第二の記録層１ｂの調整を実施し、その後第一の記録層１ａの調整値及び第二の記録層１ｂの調整値を記憶する（Ｓ１０）。
【００４６】
また、ステップＳ３で、ディスク情報メモリ９内に挿入された光ディスクと同一のディスク識別情報が存在しない場合（Ｓ３でＮＯ）には、光ディスク１からディスク属性情報と欠陥位置情報を再生し、ディスク情報メモリ９内にディスク識別情報とディスク属性情報と欠陥位置情報の記憶を行い（Ｓ５ｂ）、第二の記録層１ｂに対して、光ピックアップ２、フォーカスサーボ回路３、トラッキングサーボ回路４、及び再生信号処理回路５の調整を行う（Ｓ６）。
その後、ステップＳ１で得た第一の記録層１ａの調整値と、ステップＳ６で得た第二の記録層１ｂの調整値をディスク情報メモリ９に記憶する（Ｓ１０）。
【００４７】
なお、ステップＳ５ｂにおけるディスク識別情報及びディスク属性情報、並びに欠陥位置情報のディスク情報メモリ９への書込みを、ステップＳ６における第二の記録層１ｂの調整を行った後に、例えば第一の記録層の調整値及び第二の記録層の調整値の記録（Ｓ１０）とともに、或いは第一の記録層の調整値及び第二の記録層の調整値の記録（Ｓ１０）の後で行っても良い。
【００４８】
図９および図１０の一連の動作は図示されないプログラムメモリ（ＲＯＭ）に格納された制御プログラムに従って動作するＣＰＵ１０により制御される。
【００４９】
実施の形態２においては、第一の記録層１ａに関して調整を行ったことにより得られる調整値とディスク情報メモリ９に記憶されている調整値を比較することにより、ディスクの状態が調整値を記憶した時点と変化があった場合には、第二の記録層１ｂの調整値としてディスク情報メモリ９に記憶している値を用いず、再度調整を行うことで再生の信頼性が向上する。また、そのような場合には、ディスク情報メモリ９に記憶されている全ての記録層（第一及び第二の記録層１ａ、１ｂ）の調整値の更新を行うことで、以後の起動処理時間の短縮が可能となる。
【００５０】
上述の実施の形態１および実施の形態２は、光ディスクに二つの記録層があるものとして記述しているが、三層以上の記録層を有する光ディスクの場合には、第一の記録層以外のすべての記録層に対して、上記の第二の記録層に対する処理と同様の処理を行うことで対応可能である。
その場合には、光ディスクの第一の記録層で光ピックアップ２、再生信号処理回路５、フォーカスサーボ回路３及びトラッキングサーボ回路４を用いてサーボエラー信号および再生信号を所定の品質に調整した状態で、ディスク識別情報を再生し、ディスク識別情報及び当該ディスク識別情報で識別されるディスクの各記録層の調整値がディスク情報メモリ９に記憶されている場合、第一の記録層以外の記録層に対する光ピックアップ２、再生信号処理回路５、フォーカスサーボ回路３及びトラッキングサーボ回路４の調整値としてディスク情報メモリ９に記憶されている調整値をそれ以降のディスクに対する処理、例えばユーザデータの記録、再生に用いることとしたり、また、光ピックアップ２、再生信号処理回路５、フォーカスサーボ回路３及びトラッキングサーボ回路４で得られた調整値と、ディスク情報メモリ９に記憶されている同じディスク識別情報を有する調整値とを比較する調整値比較回路１１で比較し、比較の結果得られる差分が規定値ＡＤ以下であれば、ディスク情報メモリ９に記憶されている第一の記録層以外のそれぞれの記録層に対する調整値を用い、差分が規定値ＡＤよりも大きければ、第一の記録層以外のそれぞれの記録層に対する調整を実施して、該調整により得られたそれぞれの記録層に対する調整値をそれ以降の当該光ディスクに対する処理、例えばユーザデータの記録、再生に用いることとしたり、さらに、第一の記録層から再生されたディスク識別情報がディスク情報メモリ９に記憶されている場合、欠陥位置情報としてディスク情報メモリ９に記憶されている欠陥位置情報をそれ以降の当該光ディスクに対する処理、例えばユーザデータの記録、再生に用いることとすれば良い。
【符号の説明】
【００５１】
１  光ディスク、  ２  光ピックアップ、  ３  フォーカスサーボ回路、  ４  トラッキングサーボ回路、  ５  信号増幅回路、  ６  再生信号処理回路、  ７  バッファメモリ、  ８  インターフェース制御回路、  ９  ディスク情報メモリ、  １０  ＣＰＵ、  １１  調整値比較回路。
【図１】
2010198656.tif 000003
【図２】
2010198656.tif 000004
【図３】
2010198656.tif 000005
【図４】
2010198656.tif 000006
【図５】
2010198656.tif 000007
【図６】
2010198656.tif 000008
【図７】
2010198656.tif 000009
【図８】
2010198656.tif 000010
【図９】
2010198656.tif 000011
【図１０】
2010198656.tif 000012